(57)【要約】
【課題】　カレンダーの特定の日を簡便かつ容易に、しかも確実に表示することができると共に、使い易く、かつ経済的に作ることができる利用性の高いカレンダー表示具を提供する。
【解決手段】　壁等支持される支持部（２）と、磁性体で形成される板状のカレンダー当接部（５）を備え、上記支持部（２）とカレンダー当接部（５）の間にクサリ（９）を設けて通口（７）を形成し、このカレンダー当接部の裏面に配置した吊り下げカレンダー（５）を一枚づつカレンダー当接部の前面へ繰り出し、そのカレンダーの特定する日付に磁石で形成した表示片（１８）を吸着させて表示するようにした。
【選択図】　　　　図４
0003099595.tif 000002
【実用新案登録請求の範囲】
【請求項１】
　壁等の固定部に支持される支持部と、複数枚に綴られた吊り下げカレンダーのほぼ日付欄に相当する大きさを有する板状のカレンダー当接部を備え、このカレンダー当接部の裏面に配置したカレンダーを少なくとも一枚づつカレンダー当接部の前面へ繰り出すための通口を形成するよう上記支持部とカレンダー当接部の間を連結する連結部材を設けたカレンダー表示具。
【請求項２】
　連結部材をクサリ等の紐状体で形成し、この紐状体の長さを調節することによって通口の縦方向の幅を変えるようにした請求項１記載のカレンダー表示具。
【請求項３】
　カレンダー当接部をスチール板等の磁性体板で形成し、この磁性体板に吸引される磁石を有しカレンダーの日付を特定する表示片を設けた請求項１または２記載のカレンダー表示具。
【請求項４】
　カレンダー当接部を木材や厚紙等の針刺し可能な支持板で形成し、この支持板に刺しカレンダーの日付を特定するピンを設けた請求項１または２記載のカレンダー表示具。
【請求項５】
　カレンダー当接部を硬質のゴム磁石板で形成し、このゴム磁石板に吸引される磁性体を有しカレンダーの日付を特定する表示片を設けた請求項１または２記載のカレンダー表示具。
【請求項６】
　紐状体が挿入し得るようカレンダー当接部を中空状に形成し、このカレンダー当接部の裏面に窓を設けこの窓より紐状体の端部を望ませその長さを調節するようにした請求項２記載のカレンダー表示具。
【考案の詳細な説明】
【技術分野】
【０００１】
　本考案は、カレンダーの日付や予定等を特定して表示するのに便利なカレンダーの表示具に関する。
【背景技術】
【０００２】
　壁等に吊り下げて使用するタイプのカレンダーが存在している。このタイプのカレンダーは１月〜１２月の暦をまとめて繰ってあるものであって、月毎にめくって使用されるものであり、その月毎の予定を表示する際に、日付を丸で囲んだり、日付の部分に予定事項をメモ書きしたりして使用している。
【０００３】
　この種のカレンダーは、暦に特定事項を記入するものであるから、例えば今日は何日であるか等を特定する場合には使用することができないものであった。また、各月の暦を重ねた状態で綴られているものであるので、例えばサインペン等を用いて特定した日付に表示を入れたりすると、インクが翌月の暦に滲んで見づらくなるということがあった。
【０００４】
　一方、卓上カレンダーにおいて、日付を簡便に特定するために、各月の暦を磁性体シートで形成し、このシートに吸着する磁石を設けるようにしたものが考えられている（例えば特許文献１参照）。
【０００５】
　この卓上カレンダーは、１月〜１２月まで各月の暦を磁性体シートで形成するものであって、磁性体シートを１２枚必要とするものであるから不経済であった。
【０００６】
　そこで、吊り下げタイプのカレンダーにおいて、日付を特定するのにカレンダーの裏面に磁性体板を設け、カレンダー前面の日付に磁石を置こうとすると、１月〜１２月と各月の暦が重なっていて枚数が多いために磁石をかなり強いものにしなければならず、弱いものでは手に触れただけで不必要に移動してしまったり、落下したりすることがあった。
【特許文献１】実開平６−１２０６７号公報
【考案の開示】
【考案が解決しようとする課題】
【０００７】
　本考案は、上記従来の問題点を解決し、かつ改良するものであって、カレンダーの特定の日を簡便かつ容易に、しかも確実に表示することができると共に、使い易く、かつ経済的に作ることができる利用性の高いカレンダー表示具を提供しようとするものである。
【課題を解決するための手段】
【０００８】
　壁等に支持される支持部と、カレンダー当接部を連結部材で連結して通口を形成し、カレンダー当接部の裏面に配置したカレンダーを少なくとも一枚づつその通口を通してカレンダー当接部の前面へ繰り出すようにしたものである。
　また、連結部材を紐状体に形成し、通口の縦方向の幅を変えるようにしたものである。　更に、カレンダー当接部とカレンダーの日付を特定する表示片を設け、その一方を磁性体とすると共に他方を磁石とし、あるいは一方を針刺し可能な支持板とし、他方をピンに形成してカレンダーの特定する日を簡便に表示できるようにしたものである。
　また、カレンダー当接部を中空状に形成して紐状体を挿通すると共にカレンダー当接部の裏面に窓を設け、この窓の位置で紐状体の長さを調節するようにしたものである。
【考案の効果】
【０００９】
　本考案は、支持部とカレンダー当接部の間を紐状体等の連結部材で連結し通口を設けているので、カレンダー当接部の裏面に配置した綴りカレンダーを少なくとも一枚づつ通口を通してカレンダー当接部の前面へ繰り出すことができると共に、カレンダーの日付を特定する表示片として磁石を用いた場合はそれ程強くない磁石でもしっかりとカレンダー当接部に支持することができ、その表示片の落下や安易な移動を阻止することができる。又、その表示片としてピンを用いた場合も同様に楽にカレンダー当接部に支持することができる。しかも上記カレンダー当接部が下敷ともなるので書き易く、書き込んだ文字が翌月以降の暦へ滲んだりすることがないから使い易い。
　更に、紐状体の長さを調節することができるので、長さの相違する各種のカレンダーにも対応することができ、その際にカレンダー当接部に設けた窓によって紐状体の長さを調節することができる。
【考案を実施するための最良の形態】
【００１０】
　カレンダー表示具本体（１）は、壁等の固定部に支持される支持部（２）と、複数枚（通常１２ヵ月分）に綴られた吊り下げタイプのカレンダー（３）のほぼ日付欄（４）に相当する大きさを有するカレンダー当接部（５）と、このカレンダー当接部（５）と上記支持部（２）の間を閉ループ状に連結する連結部材（６）を備え、この閉ループによって通口（７）が形成されている。
【００１１】
　実施例では、上記支持部（２）とカレンダー当接部（５）が中空状に形成されており、その中空部（８）にクサリ（９）を挿通し、その端部どうしを結合（１０）している。
【００１２】
　なお、この例では、連結部材（６）をクサリ（９）としているが、このクサリに代えて紐や糸、金属線その他の紐状体を用いることができる。
【００１３】
　上記カレンダー（３）は、図４に示すように、１月〜１２月の各暦（１１）を有し、これらの各暦が綴じ具（１２）で綴じられ，その綴じ具には支持環（１３）が設けられている。
【００１４】
　一方、上記支持部（２）には、この支持環（１３）に対応する支持環部（１４）が形成されており、これらの支持環（１３）及び支持環部（１４）を壁等の固定部に固定した支持具（１５）を用いてカレンダー表示具本体（１）と上記カレンダー（３）を支持している。
【００１５】
　その際、カレンダー（３）は、図５に示すようにカレンダー当接部（５）の裏面に配置され、そのカレンダーの今月分に相当する暦の１枚分を上記通口（７）を通してカレンダー当接部（５）の前面へ繰り出す（送り出す）ようにする。
【００１６】
　上記カレンダー当接部（５）は、スチール等の磁性体で板状に形成されており、その今月の暦の特定する日（１６）、例えば今日の日付（数字）の上に磁石（１７）を有する表示片（１８）を置きカレンダー当接部（５）に吸着させている。
【００１７】
　この場合、上記表示片（１８）は、その一部に磁石（１７）を設けるようにしているが、全体を磁石で形成するようにしてもよい。
　なお、表示片（１８）は、その形状を丸形、楕円形、三角形、四角形等の多角形その他の形状にしたり、色分けしたりして、予定日、記念日、指定日その他の特定する日（１６）を区分けして表示することができる。
　その際に、表示片（１８）を透明、半透明にすると、カレンダーの日付が見易くなる。
【００１８】
　カレンダー当接部（５）を磁石とし、表示片（１８）を磁性体とする場合は、例えば、カレンダー当接部（５）をゴム磁石板で形成し、表示片（１８）をスチール等の磁性体を有する部片で形成するようにする。
【００１９】
　図７に示すものは、支持部（２）及びカレンダー当接部（５）をコルク板その他の木板（１９）で形成し、カレンダー（３）の日付を特定するための表示片をピン（２０）に形成したもので、このピンを上記木板で形成されるカレンダー当接部（５）に刺して表示するようにしている。
　なお、この場合、クサリ（９）を上記支持部（２）とカレンダー当接部（５）の両端にそれぞれ釘等で固定している。
　このカレンダー当接部（５）の材質は、上記ピン（１９）を刺すことができるものであればよく、従って上記木板以外に厚紙板やプラスチック板等を用いることができる。
【００２０】
　上記通口（７）は、例えば図８に示すように、支持部（２）とカレンダー当接部（５）と連結部材（６）を一体に形成しこれらの部材の間に設けたり、あるいは図９に示すように、支持部（２）をクサリで形成し、カレンダー当接部（５）と連結部材（６）を一体に形成したりその他の形態に形成することができる。
　なお、上記図９に示す連結部材の場合は、その一部を欠除するようにしてもよい。
【００２１】
　図２に示すように、上記カレンダー当接部（５）の裏面に窓（２１）を設けておくと、連結部材（６）としてクサリ（９）等の紐状体を用いたときに、そのクサリの端部どうしを窓から望ませて結合させることができ、カレンダーの上部に先月の暦（２２）や来月の暦（２３）あるいは絵、図柄、模様等を表示した場合のように、吊り下げ方向の長さが違う種々のカレンダーに対応してクサリの長さを調節することができる。
【００２２】
　上記支持部（２）及びカレンダー当接部（５）等は、その表面に塗装を施したり、表面に紙やプラスチックシート等を貼着したり、これらの表面に適宜の図、絵、文字、模様、色彩等を施すことができる。
　また、カレンダー当接部（５）は、その上部にパイプ（２４）や通路（２５）を設け（図１１、図１２）、これにクサリ等の紐状体を通すようにしてもよい。
【図面の簡単な説明】
【００２３】
【図１】本考案の実施例を示す正面図である。
【図２】一部切欠いて示す図１の背面図である。
【図３】図１の側面図である。
【図４】カレンダーを装着する際の態様を示す斜面図である。
【図５】カレンダーを装着した状態を示す部分拡大側面図である。
【図６】カレンダーの日付を特定する際の態様を示す側面図である。
【図７】図６における他の例を示す側面図である。
【図８】カレンダー表示具本体の他の例を示す正面図である。
【図９】カレンダー表示具本体の更に他の例を示す正面図である。
【図１０】表示片の拡大平面図である。
【図１１】カレンダー当接部の他の例を示す一部拡大側面図である。
【図１２】カレンダー当接部の更に他の例を示す一部拡大側面図である。
【符号の説明】
【００２４】
　２　支持部　　３　カレンダー　　５　カレンダー当接部　　６　連結部材
　７　通口　　１６　特定する日　　１７　磁石　　１８　表示片　　２０　ピン
　２１　窓
【図１】
0003099595.tif 000003
【図２】
0003099595.tif 000004
【図３】
0003099595.tif 000005
【図４】
0003099595.tif 000006
【図５】
0003099595.tif 000007
【図６】
0003099595.tif 000008
【図７】
0003099595.tif 000009
【図８】
0003099595.tif 000010
【図９】
0003099595.tif 000011
【図１０】
0003099595.tif 000012
【図１１】
0003099595.tif 000013
【図１２】
0003099595.tif 000014